【手続補正書】
【提出日】平成24年8月22日(2012.8.22)
【手続補正１】
【補正対象書類名】特許請求の範囲
【補正対象項目名】全文
【補正方法】変更
【補正の内容】
【特許請求の範囲】
【請求項１】
垂直方向に設けた回転軸と、
回転軸に放射状に固定された複数の羽根を有する回転翼と、
回転翼の上端および下端のそれぞれに設けられるとともに、回転軸に固定されて回転翼を保持する回転翼保持部材と、を備えている風車装置であって、
回転翼保持部材は、
その内部に中空に形成された空間である移動体変位室と、
移動体変位室内に設けられるとともに、移動体変位室内を移動可能な移動体と、
移動体変位室を複数の空間に区画する仕切り部材と、を備え、
回転翼保持部材の内面であって、移動体変位室の底面は、回転軸を中心として上方に向かって拡開する傾斜面に形成され、
仕切り部材は、移動体変位室を、回転軸を中心として放射状に仕切るように設けられ、
回転翼の回転に伴う遠心力によって、移動体変位室内に設けられた移動体が、移動体変位室内を、移動体変位室の底面に沿って下位から上方に移動可能に形成されていることを特徴とする風車装置。
【請求項２】
請求項１記載の風車装置と、
該風車装置の回転軸に連結されるとともに、回転軸の回転により駆動されて発電を行う発電機と、
前記風車装置を覆うように設けられた箱体と、
箱体の側面に設けられるとともに、箱体の外部から箱体の内部に流入する風の風向を調節するためのルーバーと、を備えていることを特徴とする風力発電装置。
【手続補正２】
【補正対象書類名】明細書
【補正対象項目名】０００９
【補正方法】変更
【補正の内容】
【０００９】
請求項に記載された発明は、上記した各目的を達成するためになされたものであり、各
発明の特徴点を図面に示した発明の実施の形態を用いて、以下に説明する。
なお、符号は、発明の実施の形態において用いた符号を示し、本発明の技術的範囲を限
定するものではない。
（請求項１）
請求項１記載の風車装置10は、垂直方向に設けた回転軸11と、回転軸11に放射状に固定された複数の羽根12を有する回転翼13と、回転翼13の上端および下端のそれぞれに設けられるとともに、回転軸11に固定されて回転翼13を保持する回転翼保持部材16と、を備えている風車装置10であって、回転翼保持部材16は、その内部に中空に形成された空間である移動体変位室と、移動体変位室内に設けられるとともに、移動体変位室内を移動可能な移動体と、移動体変位室を複数の空間に区画する仕切り部材29と、を備え、回転翼保持部材16の内面であって、移動体変位室の底面は、回転軸11を中心として上方に向かって拡開する傾斜面に形成され、仕切り部材29は、移動体変位室を、回転軸11を中心として放射状に仕切るように設けられ、回転翼13の回転に伴う遠心力によって、移動体変位室内に設けられた移動体が、移動体変位室内を、移動体変位室の底面に沿って下位から上方に移動可能に形成されていることを特徴とする。
【手続補正３】
【補正対象書類名】明細書
【補正対象項目名】００１０
【補正方法】変更
【補正の内容】
【００１０】
ここで、「回転翼」は、回転軸11に放射状に固定された複数の羽根12を有するものであり、羽根12の枚数は特に限定されるものではない。たとえば、回転翼13は、２枚の羽根12や、６枚の羽根12を有するようにすることができる。
また、「回転翼保持部材」は、回転翼13の上端および下端のそれぞれに設けられるとともに、回転軸11に固定されて回転翼13を保持するものである。回転翼保持部材16の形状は、特に限定されるものではなく、たとえば、略逆円錐状、略逆三角錐状または略逆四角錐状などとすることができる。
また、「移動体変位室」は、回転翼保持部材16の内部に中空に形成された空間である。また、回転翼保持部材16の内面であって、移動体変位室の底面は、回転軸11を中心として上方に向かって拡開する傾斜面に形成される。回転翼保持部材16の内面であって、移動体変位室の底面は、たとえば、略逆円錐状、略逆三角錐状または略逆四角錐状などとすることができる。
【手続補正４】
【補正対象書類名】明細書
【補正対象項目名】００１１
【補正方法】変更
【補正の内容】
【００１１】
また、「移動体」は、移動体変位室内に設けられるとともに、移動体変位室内を移動可能なものであり、たとえば、水、油などが挙げられる。
また、「仕切り部材」は、移動体変位室を複数の空間に区画するものである。また、仕切り部材29は、移動体変位室を、回転軸11を中心として放射状に仕切るように設けられる。ここで、「区画する」とは、移動体変位室を複数の空間に区切ることを意味し、移動体変位室を互いに連通する複数の空間に区切る、あるいは、移動体変位室を完全に独立した複数の空間に区切るのいずれをも含む。
また、「移動体変位室内を、移動体変位室の底面に沿って下位から上方に移動可能」とは、移動体変位室内に設けられた移動体が、回転翼13の回転に伴う遠心力によって、移動体変位室内を、回転軸11に直交する平面において回転軸11から放射状に外側に向かう方向に、移動体変位室の底面に沿って移動可能であることをいう。
【手続補正５】
【補正対象書類名】明細書
【補正対象項目名】００１２
【補正方法】変更
【補正の内容】
【００１２】
本発明に係る風車装置10は、垂直方向に設けた回転軸11に放射状に複数の羽根12を固定した垂直軸型風車である。また、複数の羽根12を有する回転翼13の上端および下端のそれぞれには、回転軸11に固定されて回転翼13を保持する回転翼保持部材16が設けられる。そして、回転翼保持部材16の内部には、中空の移動体変位室が形成され、その移動体変位室には、移動体変位室を複数の空間に区画する仕切り部材29が設けられるとともに、移動体が設けられる。
また、回転翼保持部材16の内面であって、移動体変位室の底面は、回転軸11を中心として上方に向かって拡開する傾斜面に形成される。また、仕切り部材29は、移動体変位室を、回転軸11を中心として放射状に仕切るように設けられる。
【手続補正６】
【補正対象書類名】明細書
【補正対象項目名】００１３
【補正方法】変更
【補正の内容】
【００１３】
そして、本発明に係る風車装置10は、回転翼13の羽根12が風を受けることで、以下のような回転動作を行う。まず、風車装置10の回転停止時には、移動体変位室内に設けられた移動体は、移動体変位室の底面の傾斜により、移動体変位室の下位である中心付近に位置する。すなわち、風車装置10の回転停止時には、移動体は、風車装置10の回転中心軸付近に位置する。これにより、風車装置10の回転開始時おける慣性モーメントを小さくすることができるので、風車装置10の自己起動性を向上させることができる。
そして、回転翼13の羽根12が風を受けて風車装置10が回転を開始すると、移動体変位室の中心付近に位置していた移動体は、遠心力により、移動体変位室内を、回転軸11に直交する平面において回転軸11から放射状に外側に向かう方向に、移動体変位室の底面に沿って移動する。かかる場合に、移動体は、移動体変位室に設けられた仕切り部材29との摩擦により、回転軸11に直交する平面において回転軸11から放射状に外側に向かう方向に移動しやすくなっている。そして、移動体変位室内に設けられた移動体が、遠心力により、移動体変位室内を、回転軸11に直交する平面において回転軸11から放射状に外側に向かう方向に移動すればするほど、風車装置10の慣性モーメントは大きくなる。すなわち、風車装置10の回転中における慣性モーメントを大きくすることができるので、風車装置10の回転を停止し難くすることができる。
（請求項２）
請求項２記載の風力発電装置40は、上記風車装置10と、該風車装置10の回転軸11に連結されるとともに、回転軸11の回転により駆動されて発電を行う発電機41と、前記風車装置10を覆うように設けられた箱体42と、箱体42の側面に設けられるとともに、箱体42の外部から箱体42の内部に流入する風の風向を調節するためのルーバー50と、を備えていることを特徴とする。